(57)【特許請求の範囲】
【請求項１】
炊飯物を入れる鍋と、この鍋を加熱する加熱手段と、複数の米加工種類の内から１つを選択する米種選択手段と、複数の炊飯メニューの内から１つを選択するメニュー選択手段と、前記米種選択手段により選択された米加工種類及び前記メニュー選択手段により選択されたメニューを表示する表示手段と、前記メニュー選択手段により選択可能な複数のメニューに応じた複数の基本シーケンスを記憶する基本シーケンス記憶手段と、前記米種選択手段により選択可能な複数の米加工種類及び前記メニュー選択手段により選択可能な複数のメニューに応じた複数の炊飯工程データを記憶する工程データ記憶手段と、前記メニュー選択手段により選択されたメニューに基づき前記基本シーケンス記憶手段から所定の基本シーケンスを選択し、前記米種選択手段及び前記メニュー選択手段により選択された米加工種類及びメニューに基づき前記工程データ記憶手段から所定の工程データを選択し、選択された基本シーケンス及び選択された工程データにより前記加熱手段を制御する制御手段とを備えたことを特徴とする炊飯器。
【請求項２】
前記米種選択手段により選択された米加工種類に対して前記メニュー選択手段により特定のメニューの選択を禁止し、及び／または前記メニュー選択手段により選択されたメニューに対して前記米種選択手段により特定の米加工種類の選択を禁止したことを特徴とする請求項１記載の炊飯器。
【請求項３】
前記米種選択手段により選択される米の加工種類は、玄米を含むことを特徴とする請求項１または２記載の炊飯器。
【発明の詳細な説明】
【０００１】
【発明の属する技術分野】
この発明は、一般家庭などで使用される炊飯器に関わり、特にメニュー選択機能を有する炊飯器に関する。
【０００２】
【従来の技術】
図１７は例えば特開２００２−４５１号公報に示された従来の炊飯器の断面図、図１８はこの炊飯器の操作パネルを示す図である。図において、１は炊飯器本体、２は鍋、６は操作部、８は選択手段、９は炊飯スイッチ、１１は表示手段、１３は制御手段である。
【０００３】
次に、動作について説明する。
まず、鍋２に所望量の米と適量の水を入れ、本体１に挿入した後、操作部６の選択手段８によって炊飯したいメニューを選択する。選択手段８の操作には表示手段１１が同期しており、例えば選択手段８を操作する毎に、表示手段１１の表示は、白米→白米軟らかめ→白米硬め→無洗米→無洗米軟らかめ→無洗米硬めのように順次遷移する。使用者は、選択手段８の操作により、例えば無洗米を選択する。その後、操作部６で炊飯スイッチ９を操作すると、制御手段１３により炊飯が開始される。
【０００４】
なお、詳細説明を省略するが、特開２００１−３４６６８３号公報示された従来の炊飯器では、玄米を含む多様なバリエーションを有する炊飯器が提案されており、繊維質が多く健康に良いという理由から玄米も一般に食されている。
【０００５】
【発明が解決しようとする課題】
上述のような従来の炊飯器では、選択手段８の操作によりメニューを選択するものであり、メニューの種類が多くなると操作回数が増えてしまい操作性が悪く、また全メニューを各々表示する必要があるため表示が複雑になってしまい、誤操作の可能性が高くなってしまうという問題点があった。
【０００６】
この発明は、上述のような課題を解決するためになされたもので、メニューの選択を容易にでき、誤操作を少なくすることができる炊飯器を得るものである。
【０００８】
【課題を解決するための手段】
この発明にかかる炊飯器は、炊飯物を入れる鍋と、この鍋を加熱する加熱手段と、複数の米加工種類の内から１つを選択する米種選択手段と、複数の炊飯メニューの内から１つを選択するメニュー選択手段と、米種選択手段により選択された米加工種類及びメニュー選択手段により選択されたメニューを表示する表示手段と、メニュー選択手段により選択可能な複数のメニューに応じた複数の基本シーケンスを記憶する基本シーケンス記憶手段と、米種選択手段により選択可能な複数の米加工種類及びメニュー選択手段により選択可能な複数のメニューに応じた複数の炊飯工程データを記憶する工程データ記憶手段と、メニュー選択手段により選択されたメニューに基づき基本シーケンス記憶手段から所定の基本シーケンスを選択し、米種選択手段及びメニュー選択手段により選択された米加工種類及びメニューに基づき工程データ記憶手段から所定の工程データを選択し、選択された基本シーケンス及び選択された工程データにより加熱手段を制御する制御手段とを備えたものである。
【０００９】
さらに、米種選択手段により選択された米加工種類に対してメニュー選択手段により特定のメニューの選択を禁止し、及び／またはメニュー選択手段により選択されたメニューに対して米種選択手段により特定の米加工種類の選択を禁止したものである。
【００１０】
また、米種選択手段により選択される米の加工種類は、玄米を含むものである。
【００１１】
【発明の実施の形態】
実施の形態１．
図１はこの発明の実施の形態１である炊飯器の断面模式図、図２はこの炊飯器の操作パネルを示す図、図３はこの炊飯器の制御ブロック図、図４はこの炊飯器の動作を示すフローチャート、図５はこの炊飯器の記憶手段１４のメモリ概略図である。
【００１２】
図において、１は炊飯器本体、２は炊飯器本体１に着脱自在に収容され、米、水等を収容する鍋、３は鍋２を加熱する加熱手段であるヒータ、４は炊飯器本体１の上部開口を開閉する蓋、５は鍋２の温度を検出する温度センサである。
【００１３】
６は炊飯器本体１の外周部に設けられた操作パネルであり、操作パネル６は精白米、無洗米、玄米の米の加工種類を選択する米種選択キー７と、ご飯、おかゆ、炊き込みの炊飯メニューを選択するメニュー選択キー８と、炊飯開始を入力する炊飯キー９と、炊飯動作を取り消す取消キー１０と、精白米、無洗米、玄米からなる米種や、ご飯、おかゆ、炊き込みからなるメニューを液晶により表示する表示手段１１と、炊飯の動作中に点灯する炊飯ＬＥＤ１２により構成される。
【００１４】
１３は制御手段であり、制御手段１３は米種選択キー７、メニュー選択キー８、炊飯キー９、取消キー１０、米種及びメニューに応じた炊飯シーケンスを記憶する記憶手段１４、液晶表示器からなる表示手段１１及び炊飯ＬＥＤ１２の表示を制御する表示制御手段１５、温度センサ５の温度を検出する温度検出手段１６、ヒータ３の加熱を制御する加熱制御手段１７と接続され、入出力の制御を行う。
【００１５】
次に、図４のフローチャートに基づいて、動作について説明する。
まず、ステップＳ１で炊飯器に電源を投入することにより制御が開始される。ステップＳ２で米種を精白米に設定し、ステップＳ３でメニューをご飯に設定する。これにより初期設定は、米種：精白米、メニュー：ご飯となり、表示制御手段１５は表示手段１１に「精白米」、「ご飯」を表示する。
【００１６】
ステップＳ４では米種選択キー７の入力判定が行われ、入力があった場合はステップＳ５からステップＳ９で米種の設定の変更が行われる。ステップＳ５では米種選択キー７の操作前に設定されていた米種が精白米であるかどうかを判定し、精白米である場合はステップＳ６で米種を無洗米に設定変更する。ステップＳ５で精白米でない場合はステップＳ７で米種選択キー７の操作前に設定されていた米種が無洗米であるかどうかを判定し、無洗米である場合はステップＳ８で米種を玄米に設定変更する。ステップＳ７で無洗米でない場合はステップＳ９で米種を精白米に設定変更する。これにより米種選択キー７を操作する毎に米種の設定は  無洗米→玄米→精白米・・・  と変更することができる。このとき表示制御手段１５は米種の設定が変更されるたびに表示手段１１に設定された米種を表示する。
【００１７】
ステップＳ１０ではメニュー選択キー８の入力判定が行われ、入力があった場合はステップＳ１１からステップＳ１５でメニューの設定の変更が行われる。ステップＳ１１ではメニュー選択キー８の操作前に設定されていたメニューがご飯であるかどうかを判定し、ご飯である場合はステップＳ１２でメニューをおかゆに設定変更する。ステップＳ１１でご飯でない場合はステップＳ１３でメニュー選択キー８の操作前に設定されていたメニューがおかゆであるかどうかを判定し、おかゆである場合はステップＳ１４でメニューを炊き込みに設定変更する。ステップＳ１３でおかゆでない場合はステップＳ１５でメニューをご飯に設定変更する。これによりメニュー選択キー８を操作する毎にメニューの設定は  おかゆ→炊き込み→ご飯・・・  と変更することができる。このとき表示制御手段１５はメニューの設定が変更されるたびに表示手段１１に設定されたメニューを表示する。
【００１８】
次にステップＳ１６で炊飯キー９の入力判定が行われ、入力がない場合は、ステップＳ４からステップＳ１６の処理が繰り返されることにより、炊飯を開始する以前は米種及びメニューの設定変更が可能となる。ステップＳ１６で炊飯キー９の入力があった場合は、ステップＳ１７で設定された米種及びメニューに対応したシーケンスが記憶手段１４から呼び出される。記憶手段１４には図５に示すように米種及びメニューに応じて９種類のシーケンスが記憶されており、例えば米種：無洗米、メニュー：おかゆが選択された場合はシーケンスＳＭＯが選択され呼び出される。このステップＳ１８で呼び出されたシーケンスに沿った炊飯が実行される。このとき表示制御手段１５は炊飯ＬＥＤ１２を点灯させ、炊飯中であることを表示する。
【００１９】
以上のように、この実施の形態１では米種選択キーにより精白米、無洗米、玄米の３通りの米の種類を選択でき、また表示手段で選択された米種を表示し、さらにメニュー選択キーによりご飯、おかゆ、炊き込みの３通りのメニューを選択でき、また表示手段で選択されたメニューを表示するものであるので、表示器を小型化できしかも表示を簡略に行うことができ、操作も容易となり、また設定された米種及びメニューに応じて炊飯のシーケンスを呼び出して炊飯を行うものであるので多様な炊飯のバリエーションを実現することができる。
【００２０】
実施の形態２．
図６はこの発明の実施の形態２である炊飯器の制御ブロック図、図７はこの炊飯器の記憶手段１４のメモリ概略図であり、（ａ）は基本シーケンス、（ｂ）は米種及びメニュー毎の工程データを示す。図８はこの炊飯器の動作を示すフローチャート、図９はこの炊飯器で米種：精白米、メニュー：ご飯に設定した場合の炊飯特性図、図１０はこの炊飯器で米種：精白米、メニュー：炊き込みに設定した場合の炊飯特性図、図１１はこの炊飯器で米種：玄米、メニュー：ご飯に設定した場合の炊飯特性図、図１２はこの炊飯器で米種：精白米、メニュー：おかゆに設定した場合の炊飯特性図、図１３はこの炊飯器で米種：玄米、メニュー：おかゆに設定した場合の炊飯特性図である。なお、炊飯器の断面模式図、操作パネルを示す図は、それぞれ図１、図２を流用する。
【００２１】
図において、上記実施の形態と同一または相当分には同一符号を付け、説明を省略する。記憶手段１４は、炊飯の基本シーケンスを記憶する基本シーケンス記憶部１４ａと工程毎の温度、火力、及び時間のデータを記憶する工程データ記憶部１４ｂから構成され、基本シーケンス記憶部１４ａは図７ａに示すようにメニュー毎に基本シーケンスを記憶しており、メニューがご飯及び炊き込みの場合の基本シーケンスＳＧと、メニューがおかゆの場合の基本シーケンスＳＯを記憶しており、また工程データ記憶部１４ｂは図７ｂに示すように米種及びメニュー毎に各々工程データを記憶している。
【００２２】
次に、図８のフローチャートに基づいて、動作について説明する。
ステップＳ１からステップＳ１６は実施の形態１と同一であるため説明を省略する。ステップＳ２６では設定されたメニューに応じて基本シーケンスが呼び出される。ステップＳ２７では設定された米種及びメニューに応じて工程データが呼び出される。
【００２３】
ここで、米種及びメニューに応じた炊飯特性について述べる。
米種：精白米、メニュー：ご飯に設定された場合には、図９に示すように予熱工程は１３分間鍋２の温度を５０℃一定に保つことにより米の吸水を促進する。予熱が終了すると強火工程で鍋２内の被炊飯物が沸騰するまで９００Ｗで加熱を行う。被炊飯物が沸騰すると次の弱火工程で電力を４５０Ｗに低下して被炊飯物が沸騰温度となるように維持しつつ水分の吸収及び蒸発を行う。水分が少なくなると鍋２の温度は急激に上昇を始めるが、この温度が１２０℃の炊飯完了温度に達した時点で加熱を停止しむらし工程に移行する。むらし工程では被炊飯物の温度を高温に維持してデンプンのアルファ化を促進しつつ水分の更なる蒸発を促進するために、鍋２の温度が１００℃のむらし温度一定になるように加熱を行う。このようにして十分吸水しさらに余分な水分のない美味なご飯が炊きあがる。
【００２４】
米種：精白米、メニュー：炊き込みに設定された場合には、図１０に示すように上述の精白米、ご飯炊飯に設定された場合との相違点は、予熱時間、炊飯完了温度、及びむらし温度である。炊き込みの場合は調味料が入るためご飯の場合よりも米の吸水が遅いため予熱時間を１５分と長く設定している。また調味料が沈殿し鍋２の底温度がご飯の場合と比べ高くなるので炊飯完了温度を１３０℃と高く設定している。さらに沈殿した調味料が焦げやすいためむらし温度を９５℃と低く設定している。
【００２５】
米種：玄米、メニュー：ご飯に設定された場合には、図１１に示すように上述の精白米、ご飯炊飯に設定された場合との相違点は、弱火工程の電力及びむらしの加熱である。玄米の場合米の表面が皮膜で覆われているため吸水しにくい特徴があるが、沸騰以降の弱火工程を長時間行うことにより吸水を高めることができる。このため弱火工程の電力を３００Ｗと低く設定し長時間沸騰温度を維持している。また弱火工程において長時間沸騰温度を維持するためデンプンのアルファ化は弱火工程で完了しており、むらしでの加熱の必要がないため加熱を行っていない。
このように精白米・ご飯メニューと、精白米・炊き込みメニューと、玄米・ご飯メニューは、基本シーケンスは共通であるが、温度、時間等の工程データが異なる。
【００２６】
次に、かゆメニューについて説明する。
米種：精白米、メニュー：おかゆに設定された場合には、図１２に示すように予熱工程及び強火工程は、上述の精白米・ご飯と同様である。おかゆは加水量がご飯炊飯の場合と比べ多く沸騰以降ふきこぼれの恐れがあるため、弱火の電力は２００Ｗと低く設定される。おかゆは水分を多く保ったまま炊飯を終了するので、ご飯の場合と異なり鍋２の底温度が上昇するまで加熱を行わない。よって弱火の終了判定は温度ではなく時間で行われ、弱火工程開始から３０分を経過するとむらし工程に移行する。むらし工程は被炊飯物の沸騰を停止させるため５分間加熱を行わないで実施される。このようにおかゆ炊飯は前述のご飯炊飯の基本シーケンスと異なる部分が多いため、おかゆ炊飯の基本シーケンスを独立して設定される。
【００２７】
米種：玄米、メニュー：おかゆに設定された場合には、図１３に示すように上述の精白米・おかゆ炊飯との相違点は弱火時間と弱火の電力である。玄米は前述したように吸水しにくく、弱火時間を８０分と長く設定している。また弱火時間が長いため水分の蒸発を押さえる必要があり、電力を１５０Ｗと低く設定している。
このように精白米・おかゆメニューと、玄米・おかゆメニューは、基本シーケンスは共通であるが、温度、時間等の工程データが異なる。
【００２８】
なお、この実施の形態２では、ご飯メニューと炊き込みメニューを共通の基本シーケンスとしたが、炊飯途中での具材の投入などを想定して各々基本シーケンスを設定しても良い。
【００２９】
以上のように、この実施の形態３では米種選択キーにより精白米、無洗米、玄米の３通りの米の種類を選択でき、また表示手段で選択された米種を表示し、さらにメニュー選択キーによりご飯、おかゆ、炊き込みの３通りのメニューを選択でき、また表示手段で選択されたメニューを表示するものであるので、表示を簡略に行うことができ、操作も容易となり、また基本シーケンスをメニューによって設定し、工程データを米種及びメニューによって設定し使用することにより、全米種と全メニュー毎にシーケンスを持つ必要がないため、記憶手段の容量を少なくでき、多様な炊飯のバリエーションを安価に実現することができる。
【００３０】
実施の形態３．
図１４はこの発明の実施の形態３である炊飯器の操作パネルを示す図、図１５はこの炊飯器の動作を示すフローチャートであり、図１６はこの炊飯器の記憶手段１４のメモリ概略図である。なお、炊飯器の断面模式図は、それぞれ図１を流用する。
【００３１】
図において、上記実施の形態と同一または相当分には同一符号を付け、説明を省略する。表示手段１１は精白米、無洗米、玄米からなる米種やご飯、おかゆ、炊き込み、おこわからなるメニューを液晶により表示する。
【００３２】
次に、図１５のフローチャートに基づいて、動作について説明する。
まず、ステップＳ１で炊飯器に電源を投入することにより制御が開始される。ステップＳ２で米種を精白米に設定し、ステップＳ３でメニューをご飯に設定する。これによりイ初期設定は、米種：精白米、メニュー：ご飯となり、表示制御手段１５は表示手段１１に「精白米」、「ご飯」を表示する。
【００３３】
ステップＳ４では米種選択キー７の入力判定が行われ、入力があった場合ステップＳ５からステップＳ７、及びステップＳ１９からステップＳ２１で米種の設定の変更が行われる。ステップＳ５では米種選択キー７の操作前に設定されていた米種が精白米であるかどうかを判定し、精白米である場合はステップＳ６で米種を無洗米に設定変更する。ステップＳ５で精白米でない場合はステップＳ７で米種選択キー７の操作前に設定されていた米種が無洗米であるかどうかを判定し、無洗米である場合はステップＳ１９でメニュー選択キー８の操作前に設定されていメニューがおこわであるかどうかを判定し、おこわでない場合はステップＳ２０で米種を玄米に設定変更する。ステップＳ１９でメニューがおこわの場合はステップＳ２１で米種を精白米に設定する。またステップＳ７で無洗米でない場合もステップＳ２１で米種を精白米に設定変更する。これにより米種選択キー７を操作する毎に米種の設定は、メニューがご飯、おかゆ、炊き込みの際は  無洗米→玄米→精白米・・・  と変更することができ、またメニューがおこわの際は  無洗米→精白米・・・と変更することができる。このとき表示制御手段１５は米種の設定が変更されるたびに表示手段１１に設定された米種を表示する。
【００３４】
ステップＳ１０ではメニュー選択キー８の入力判定が行われ、入力があった場合はステップＳ１１からステップＳ１５、及びステップＳ２２からステップＳ２５でメニューの設定の変更が行われる。ステップＳ１１ではメニュー選択キー８の操作前に設定されていたメニューがご飯であるかどうかを判定し、ご飯である場合はステップＳ１２でメニューをおかゆに設定変更する。ステップＳ１１で精白米でない場合はステップＳ１３でメニュー選択キー８の操作前に設定されていたメニューがおかゆであるかどうかを判定し、おかゆである場合はステップＳ１４でメニューを炊き込みに設定変更する。ステップＳ１３でおかゆでない場合はステップＳ２２でメニュー選択キー８の操作前に設定されていたメニューが炊き込みであるかどうかを判定し、炊き込みである場合はステップＳ２３で米種選択キー７の操作前に設定されていた米種が玄米であるかどうかを判定する。ステップＳ２３で米種が玄米でない場合はステップＳ２４でメニューをおこわに設定変更する。ステップＳ２３で米種が玄米である場合はステップＳ２５でメニューをご飯に設定変更する。またステップＳ２２でメニューが炊き込みでない場合もステップＳ２５でメニューをご飯に設定変更する。これにより米種の設定が精白米または無洗米の際はメニュー選択キー８を操作する毎にメニューの設定は  おかゆ→炊き込み→おこわ→ご飯・・・  と変更することができ、また米種の設定が玄米の際はメニュー選択キー８を操作する毎にメニューの設定は  おかゆ→炊き込み→ご飯・・・  と変更することができる。このとき表示制御手段１５はメニューの設定が変更されるたびに表示手段１１に設定されたメニューを表示する。
【００３５】
次にステップＳ１６で炊飯キー９の入力判定が行われ、入力がない場合は、ステップＳ４からステップＳ１６の処理が繰り返されることにより、炊飯を開始する以前は米種及びメニューの設定変更が可能となる。ステップＳ１６で炊飯キー９の入力があった場合は、ステップＳ１７で設定された米種及びメニューに対応したシーケンスが記憶手段１４から呼び出される。記憶手段１４には図１６に示すように米種及びメニューに応じて１１種類のシーケンスが記憶されており、例えば米種：無洗米、メニュー：おかゆが選択された場合はシーケンスＳＭＯが選択され呼び出される。また米種：玄米、メニュー：おこわは選択できないためシーケンスは存在しない。次にステップＳ１８で呼び出されたシーケンスに沿った炊飯が実行される。このとき表示制御手段１５は炊飯ＬＥＤ１２を点灯、炊飯中であることを表示する。
【００３６】
以上のように、この実施の形態３では米種選択キーにより精白米、無洗米、玄米の３通りの米の種類を選択でき、また表示手段で選択された米種を表示し、さらにメニュー選択キーによりご飯、おかゆ、炊き込み、おこわの４通りのメニューを選択でき、また表示手段で選択されたメニューを表示するものであるので、表示を簡略に行うことができ、操作も容易となり、また設定された米種及びメニューに応じて炊飯のシーケンスを呼び出して炊飯を行うものであるので多様な炊飯のバリエーションを実現することができる。さらに、図１６の右下欄に示すように玄米のおこわなどの炊飯不可能な選択を禁止するため、操作の間違いの少ない炊飯器を実現できる。
【００３７】
なお、上記実施の形態では米種は精白米、無洗米、玄米の３通りとしたがこれに限定されるものではなく分づき米等の米種を選択可能にしてもよく、またメニューはこれに限定されるものではなく雑炊等のメニューを選択可能としても良い。
また、鍋２を磁性金属材で構成し、加熱手段を誘導加熱コイルとした電磁誘導加熱炊飯器としても同様の効果を得ることができる。
【００３８】
【発明の効果】
この発明は、以上説明したように構成されているので、以下に示すような効果を奏する。
【００３９】
炊飯物を入れる鍋と、この鍋を加熱する加熱手段と、複数の米加工種類の内から１つを選択する米種選択手段と、複数の炊飯メニューの内から１つを選択するメニュー選択手段と、米種選択手段により選択された米加工種類及びメニュー選択手段により選択されたメニューを表示する表示手段と、米種選択手段により選択可能な複数の米加工種類及びメニュー選択手段により選択可能な複数のメニューに応じた複数の炊飯シーケンスを記憶する記憶手段と、米種選択手段とメニュー選択手段により選択された米加工種類及びメニューに基づき記憶手段から所定の炊飯シーケンスを選択し、この炊飯シーケンスにより加熱手段を制御する制御手段とを備えたので、炊飯開始時の操作及び確認が容易で誤操作が防止でき、また表示手段を小型化でき且つ多様な炊飯バリエーションを実現する炊飯器を得ることができる。
【００４０】
また、炊飯物を入れる鍋と、この鍋を加熱する加熱手段と、複数の米加工種類の内から１つを選択する米種選択手段と、複数の炊飯メニューの内から１つを選択するメニュー選択手段と、米種選択手段により選択された米加工種類及びメニュー選択手段により選択されたメニューを表示する表示手段と、メニュー選択手段により選択可能な複数のメニューに応じた複数の基本シーケンスを記憶する基本シーケンス記憶手段と、米種選択手段により選択可能な複数の米加工種類及びメニュー選択手段により選択可能な複数のメニューに応じた複数の炊飯工程データを記憶する工程データ記憶手段と、メニュー選択手段により選択されたメニューに基づき基本シーケンス記憶手段から所定の基本シーケンスを選択し、米種選択手段及びメニュー選択手段により選択された米加工種類及びメニューに基づき工程データ記憶手段から所定の工程データを選択し、選択された基本シーケンス及び選択された工程データにより加熱手段を制御する制御手段とを備えたので、基本シーケンスをメニューによって設定し、工程データを米加工種類及びメニューによって設定することにより、全米加工種類と全メニュー毎にシーケンスを持つ必要がないため、記憶手段の容量を少なくでき、多様な炊飯のバリエーションを安価に実現することができる。
【００４１】
さらに、米種選択手段により選択された米加工種類に対してメニュー選択手段により特定のメニューの選択を禁止し、及び／またはメニュー選択手段により選択されたメニューに対して米種選択手段により特定の米加工種類の選択を禁止したので、多様な炊飯バリエーションを実現ししかも操作の間違いがの少ない炊飯器を得るものである。
【００４２】
また、米種選択手段により選択される米の加工種類は、玄米を含むので、健康等の理由から玄米を食す場合にあっても、炊き込み及びおかゆといった多様なバリェーションを実現できる炊飯器を得るものである。
【図面の簡単な説明】
【図１】  この発明の実施の形態１を示す炊飯器の断面模式図である。
【図２】  この発明の実施の形態１を示す炊飯器の操作パネルを示す図である。
【図３】  この発明の実施の形態１を示す炊飯器の制御ブロック図である。
【図４】  この発明の実施の形態１を示す炊飯器の動作を示すフローチャートである。
【図５】  この発明の実施の形態１を示す炊飯器のメモリ概略図である。
【図６】  この発明の実施の形態２を示す炊飯器の制御ブロック図である。
【図７】  この発明の実施の形態２を示す炊飯器のメモリ概略図である。
【図８】  この発明の実施の形態２を示す炊飯器の動作を示すフローチャートである。
【図９】  この発明の実施の形態２を示す炊飯器の炊飯特性図である。
【図１０】  この発明の実施の形態２を示す炊飯器の炊飯特性図である。
【図１１】  この発明の実施の形態２を示す炊飯器の炊飯特性図である。
【図１２】  この発明の実施の形態２を示す炊飯器の炊飯特性図である。
【図１３】  この発明の実施の形態２を示す炊飯器の炊飯特性図である。
【図１４】  この発明の実施の形態３を示す炊飯器の操作パネルを示す図である。
【図１５】  この発明の実施の形態３を示す炊飯器の動作を示すフローチャートである。
【図１６】  この発明の実施の形態３を示す炊飯器のメモリ概略図である。
【図１７】  従来の炊飯器の断面図である。
【図１８】  従来の炊飯器の操作パネル図である。
【符号の説明】
１  炊飯器本体、  ２  鍋、  ３  ヒータ、  ７  米種選択手段、  ８  メニュー選択手段、  １１  表示手段、  １３  制御手段、  １４  記憶手段、  １４ａ  基本シーケンス記憶手段、  １４ｂ  工程データ記憶手段。
【図１】
0003663543.tif 000002
【図２】
0003663543.tif 000003
【図３】
0003663543.tif 000004
【図４】
0003663543.tif 000005
【図５】
0003663543.tif 000006
【図６】
0003663543.tif 000007
【図７】
0003663543.tif 000008
【図８】
0003663543.tif 000009
【図９】
0003663543.tif 000010
【図１０】
0003663543.tif 000011
【図１１】
0003663543.tif 000012
【図１２】
0003663543.tif 000013
【図１３】
0003663543.tif 000014
【図１４】
0003663543.tif 000015
【図１５】
0003663543.tif 000016
【図１６】
0003663543.tif 000017
【図１７】
0003663543.tif 000018
【図１８】
0003663543.tif 000019